(57)【要約】      （修正有）【課題】個性的で、セクシーで、流行の先端を行き、人々の注目を集めることができる臀部が中空のパンツを提供する。【解決手段】ズボン前面の生地及びズボン背面の生地で製造される本体部と、本体部の上端に接合されるウエストバンド部と、ズボン前面の生地及び前記ズボン背面の生地が本体部から下方に向けて延伸される一対のズボンの脚部とを備え、本体部には使用者の臀部に対応する中空部が設けられる。【選択図】図１
0003205404.tif 000002
【実用新案登録請求の範囲】
【請求項１】
ズボン前面の生地及びズボン背面の生地で製造される本体部と、
前記本体部の上端に接合されるウエストバンド部と、
前記ズボン前面の生地及び前記ズボン背面の生地が前記本体部から下方に向けて延伸される一対のズボンの脚部と、を備え、
前記本体部には使用者の臀部に対応する中空部が設けられることを特徴とする、
臀部が中空のパンツ。
【請求項２】
前記中空部は、前記本体部の後方が前記ウエストバンド部から下に向けて前記ズボンの脚部の上端まで延伸される領域であることを特徴とする、請求項１に記載の臀部が中空のパンツ。
【請求項３】
前記本体部の後方のズボンの脚部の上端箇所は、更にエラスティックにそれぞれ縫合されることを特徴とする、請求項１に記載の臀部が中空のパンツ。
【請求項４】
前記ウエストバンド部はレースの装飾を有することを特徴とする、請求項１に記載の臀部が中空のパンツ。
【請求項５】
前記ウエストバンド部の下端からこれら前記ズボンの脚部の上端までの領域には、少なくとも１つの装飾用リボンがさらに設けられることを特徴とする、請求項１または４に記載の臀部が中空のパンツ。
【請求項６】
これら前記装飾用リボンは前記ウエストバンド部とほぼ平行或いは垂直に設置されることを特徴とする、請求項５に記載の臀部が中空のパンツ。
【請求項７】
前記ウエストバンド部は一体成形される環状の帯体であることを特徴とする、請求項１乃至４の何れか１項に記載の臀部が中空のパンツ。
【請求項８】
前記ウエストバンド部は二端が相互に結合される長形状の帯体であることを特徴とする、請求項１乃至４の何れか１項に記載の臀部が中空のパンツ。
【請求項９】
前記ウエストバンド部の二端は結着、粘着或いは係着の内の何れか１つの方式により結合されることを特徴とする、請求項８に記載の臀部が中空のパンツ。
【請求項１０】
前記ズボンは、ジーパン、カジュアルパンツ、トレーニングパンツ、スラックス、水泳パンツ或いはパンツのいずれかであることを特徴とする、請求項１に記載の臀部が中空のパンツ。
【考案の詳細な説明】
【技術分野】
【０００１】
本考案は、本体部には使用者の臀部に対応する中空部が設けられるズボンに関する。
【背景技術】
【０００２】
人々が日常着ている衣服は、人体の位置に合わせて上半身部位及び下半身部位に大きく分けられる。下半身部位に含まれるズボンの種類は多く、用途毎にジーパン、カジュアルパンツ、パジャマのパンツ等に分けられ、ジーパンが最も多くの人に着用されている。
【考案の概要】
【考案が解決しようとする課題】
【０００３】
しかしながら、従来のズボンを履く場合、腿及び臀部の曲線が露わになるが、セクシーさに欠け、保守的であるため、人々の気を惹けず、流行の先端を走る効果が無かった。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案の目的は、臀部が中空のパンツを提供することにある。すなわち、本考案は、本体部には使用者の臀部に対応する中空部が設けられるズボンであり、下半身の優美な曲線を引き立てて官能的なボディを演出し、同時に個性的であり、セクシーで時代の先端を行き、人々の目を惹き、男女間の生活の面白味が増す。
【課題を解決するための手段】
【０００６】
上述した課題を解決し、目的を達成するための本考案に係る臀部が中空のパンツは、ズボン前面の生地及びズボン背面の生地で製造される本体部と、前記本体部の上端に接合されるウエストバンド部と、前記ズボン前面の生地及び前記ズボン背面の生地が前記本体部から下方に向けて延伸される一対のズボンの脚部とを備え、前記本体部には使用者の臀部に対応する中空部が設けられることを特徴とする。
【０００７】
好ましい実施形態において、前記中空部とは、前記本体部の後方が前記ウエストバンド部から下に向けてこれら前記ズボンの脚部の上端まで延伸される領域を指す。
【０００８】
好ましい実施形態において、前記本体部の後方のズボンの脚部の上端箇所は、更にエラスティックにそれぞれ縫合される。
【０００９】
好ましい実施形態において、前記ウエストバンド部はレースの装飾を有する。
【００１０】
好ましい実施形態において、前記ウエストバンド部の下端からこれら前記ズボンの脚部の上端までの領域には、少なくとも１つの装飾用リボンがさらに設けられる。
【００１１】
好ましい実施形態において、これら前記装飾用リボンは前記ウエストバンド部とほぼ平行或いは垂直に設置される。
【００１２】
好ましい実施形態において、前記ウエストバンド部は一体成形される環状の帯体である。
【００１３】
好ましい実施形態において、前記ウエストバンド部は二端が相互に結合される長形状の帯体である。
【００１４】
好ましい実施形態において、前記ウエストバンド部の二端は結着、粘着或いは係着の内の何れか１つの方式により結合される。
【００１５】
好ましい実施形態において、前記ズボンは、ジーパン、カジュアルパンツ、トレーニングパンツ、スラックス、水泳パンツ或いはパンツである。
【図面の簡単な説明】
【００１６】
【図１】本考案の第１実施形態による臀部が中空のパンツを示す外観斜視図である。
【図２】本考案の第１実施形態による臀部が中空のパンツを示す実施例図である。
【図３】本考案の第１実施形態による臀部が中空のパンツ及びエラスティックが縫合される概略図である。
【図４】本考案の第１実施形態による臀部が中空のパンツ及び装飾用リボンが縫合される概略図である。
【図５】本考案の第１実施形態による臀部が中空のパンツのウエストバンド部の両端が結着方法により結合させる概略図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１８】
（第１実施形態）
図１及び図２は本考案に係る臀部が中空のパンツの外観斜視図及び実施例図であり、前記ズボンはジーパン、カジュアルパンツ、トレーニングパンツ、スラックス、水泳パンツ或いはパンツである。
ズボン前面の生地Ａ及びズボン背面の生地Ｂで製造される本体部１０と、前記本体部１０の上端に接合されるウエストバンド部１１と、前記ズボン前面の生地Ａ及び前記ズボン背面の生地Ｂが前記本体部１０から下方に向けて延伸される一対のズボンの脚部１２とを備える。前記本体部１０には、使用者の臀部に対応する中空部１３が設けられ、前記中空部１３により使用者の臀部が露わになる。
前記中空部１３とは、前記本体部１０の後方が前記ウエストバンド部１１から下に向けてこれら前記ズボンの脚部１２の上端まで延伸される開放された領域を指す。
【００１９】
続いて、図３に示すように、前記本体部１０の後方のズボンの脚部１２の上端箇所はエラスティック１４にそれぞれ縫合され、使用者が本考案を履くと、これら前記エラスティック１４により使用者の臀部が支えられ、臀部の美しい曲線が引き立てられる効果を達成させる。
【００２０】
このほか、図４に示すように、前記ウエストバンド部１１’はレースの装飾を有する。また、前記ウエストバンド部１１’の下端からこれら前記ズボンの脚部１２の上端までの領域には少なくとも１つの装飾用リボン１５が更に設けられ、これら前記装飾用リボン１５は前記ウエストバンド部１１’と平行（図４参照）或いは垂直に設置される。前記ウエストバンド部１１’に設置されるレースの装飾或いは増設されるこれら前記装飾用リボン１５により、本考案の美観が向上する。
【００２１】
前記ウエストバンド部１１は一体成形される環状の帯体であり（図１参照）、或いは二端が相互に結合される長形状の帯体である（図５参照）。
前記ウエストバンド部１１が、二端が相互に結合される長形状の帯体である場合、結着、粘着或いは係着の内の何れか１つの方式により前記ウエストバンド部１１の二端が相互に結合され、使用者が本考案を着用する際に脱げないようにする。
【００２２】
従って、本考案に係る臀部が中空のパンツは、本体部に使用者の臀部に対応する中空部が設けられ、下半身の優美な曲線を引き立てて官能的なボディを演出するほか、同時に中空部により使用者の臀部が露わになって、より個性的になり、セクシーで流行の先端を行き、人々の目を惹く。また、男女間の生活も面白味を増す。
【００２３】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２４】
１０  本体部
１１、１１’ウエストバンド部
１２  ズボンの脚部
１３  中空部
１４  エラスティック
１５  装飾用リボン
Ａ  ズボン前面の生地
Ｂ  ズボン背面の生地
【図１】
0003205404.tif 000003
【図２】
0003205404.tif 000004
【図３】
0003205404.tif 000005
【図４】
0003205404.tif 000006
【図５】
0003205404.tif 000007